(57)【要約】【課題】本発明は、原稿サイズの検知性能を向上させることにより、原稿の色や外乱光による影響を受けるこなく、原稿のサイズを正確に検知し、原稿サイズに応じた最適な用紙を選択することができる画像読取装置を提供することを目的とする。【解決手段】原稿カバー４を所定角度（２０°〜３０°）まで閉め、センサ６をスイッチＯＮの状態にすると、光源１０が短時間点灯し、原稿３により反射された反射光は、ＣＣＤセンサ１７に入射する。このＣＣＤセンサ１７の画素領域は、原稿サイズに対応した原稿境界検出用閾値（入射光による受光量に関する閾値）が設定された３つの領域に分割されており、当該３つの各画素領域において、画素境界が検出され、ＣＣＤセンサ１７により原稿３の幅サイズが検知される。次いで、確定された原稿３の幅サイズと長手方向のサイズに関する情報に基づいて、原稿サイズが判定される。【選択図】    図６
2004304406.tif 000002
【特許請求の範囲】
【請求項１】
光源により照射され、原稿により反射された反射光を、ミラーにより更に反射させるとともに、ＣＣＤセンサに対面して設けられた結像レンズを介して前記ＣＣＤセンサに入射させ、前記ＣＣＤセンサ上に結像させる画像読取装置において、
前記ＣＣＤセンサの画素領域は、前記原稿のサイズに対応して複数の画素領域に分割されており、前記ＣＣＤセンサは前記複数の画素領域の各々へ入射する前記反射光による受光量に基づいて、前記原稿の幅サイズを検知することを特徴とする画像読取装置。
【請求項２】
前記光源を点灯させた状態で、前記光源を所定の原稿サイズ検知位置からスキャン方向またはリターン方向に所定距離移動させ、複数の前記反射光を前記複数の画素領域に入射させることによりに、前記原稿の幅サイズを検知することを特徴とする請求項１に記載の画像読取装置。
【請求項３】
前記複数の画素領域の各々には、前記受光量に関する閾値が設定されており、前記ＣＣＤセンサは、前記複数の画素領域の各々において、前記閾値と前記受光量を比較することにより、前記原稿の幅サイズを検知することを特徴とする請求項１に記載の画像読取装置。
【請求項４】
前記複数の画素領域は、画像読取装置本体の上面に設けられた原稿台ガラスの主走査方向奥側に載置される前記原稿の幅サイズを検知するために用いられる第１の画素領域と、前記原稿台ガラスの主走査方向手前側に載置される前記原稿の幅サイズを検知するために用いられる第２の画素領域と、前記原稿台ガラスの主走査方向奥側と手前側の間に載置される前記原稿の幅サイズを検知するために用いられる第３の画素領域に分割されており、前記第１の画素領域における前記閾値を、前記第３の画素領域において設定された前記閾値よりも小さい第１の検出限界値まで引き下げて設定するとともに、前記第２の画素領域における前記閾値を、前記第３の画素領域において設定された前記閾値よりも大きい第２の検出限界値まで引き上げて設定することを特徴とする請求項３に記載の画像読取装置。
【発明の詳細な説明】
【０００１】
【発明の属する技術分野】
本発明は、読取素子にＣＣＤセンサ（電荷結合素子）を用いたデジタル複写機、イメージスキャナ、ファクシミリ等の画像読取装置に関するものであり、特に、原稿サイズをＣＣＤセンサ等の読取センサを用いて検知する画像読取装置に関する。
【０００２】
【従来の技術】
従来、デジタル複写機、イメージスキャナ、ファクシミリ装置等においては、読取センサにより原稿の画像を読取るデジタル読取装置を使用している。このデジタル読取装置においては、読取センサとして、ＣＣＤセンサ（電荷結合素子）を使用し、原稿画像の濃淡を電気信号レベルの高低に変換している。又、光源を一定の走査速度で原稿面に平行に移動させて走査し、原稿面からの反射光を結像レンズによりＣＣＤユニット上に結像させる読取り光学系としては、原稿台ガラス（プラテンガラス）上に載置された原稿を光源によりスリット照射し、その反射光を第１ミラーにより原稿面に平行に反射させ、互いに直交する第２、第３ミラーを経て逆方向に反射させ、結像レンズによりＣＣＤセンサ上に結像させるように構成したものが一般に採用されている。
【０００３】
ここで、この様なデジタル方式の画像読取装置を用いる画像形成装置においては、原稿サイズを正確に検知し、当該原稿サイズに応じた用紙を選択する必要があるが、用紙を選択する際に、特別な操作をすることなく、原稿を原稿台ガラス上にセットしただけで自動的に最適な転写紙が選択される技術を用いた自動原稿サイズ検知装置が開示されている。この様な自動原稿サイズ検知装置としては，例えば、原稿がセットされる原稿台ガラスに対応させて原稿の長さを検知するフォトセンサを配置するとともに、原稿の幅を検知するＣＣＤセンサを設け、ユーザーがスイッチをＯＮした後に第１の光学キャリジの光源を点灯させ、ＣＣＤセンサ上に結像された原稿の情報から幅方向の長さを検出するとともに、長手方向の原稿長さをフォトセンサによって検出し、当該２つのセンサからの情報により、原稿サイズを決定するものが開示されている（例えば、特許文献１参照）。
【０００４】
【特許文献１】
特開平５−２０７２３９号公報（第２−４頁、第１−３図）
【０００５】
【発明が解決しようとする課題】
しかし、上述の原稿サイズ検知装置においては、原稿カバー（プラテンカバー）を閉じた状態で原稿サイズを検知することを想定しているため、原稿カバーの裏面に設けられ、原稿を押圧するクッションの押圧面の色を、通常使用される白色原稿と同じ色（白色）にしてしまうと、正確な原稿サイズの検知が行えないという問題点があった。又、この問題点を解消するために、上述の原稿サイズ検知装置においては、上記クッションの押圧面の色を白色原稿と異なった色にしなくてはならず、当該クッションが著しく汚れたり、当該クッションとほぼ同じ色の地色の原稿を使用した場合には、やはり正確な原稿サイズの検知が行えないという問題点があった。
【０００６】
更に、原稿カバーを解放した状態で原稿サイズの検知を行った場合は、室内の照明光が外乱光として作用してしまい、正確な原稿サイズの検知が行えないという問題点があった。
【０００７】
本発明は、上記問題点を解決し、原稿サイズの検知性能を向上させることにより、原稿の色や外乱光による影響を受けるこなく、当該原稿のサイズを正確に検知し、原稿サイズに応じた最適な用紙を選択することができる画像読取装置を提供することを目的とする。
【０００８】
【課題を解決するための手段】
上記目的を達成するために、本発明は、光源により照射され、原稿により反射された反射光を、ミラーにより更に反射させるとともに、ＣＣＤセンサに対面して設けられた結像レンズを介してＣＣＤセンサに入射させ、ＣＣＤセンサ上に結像させる画像読取装置において、ＣＣＤセンサの画素領域は、原稿のサイズに対応して複数の画素領域に分割されており、ＣＣＤセンサは複数の画素領域の各々へ入射する反射光による受光量に基づいて、原稿の幅サイズを検知することを特徴とする。
【０００９】
ここで、本発明においては、光源を点灯させた状態で、光源を所定の原稿サイズ検知位置からスキャン方向またはリターン方向に所定距離移動させ、複数の反射光を複数の画素領域に入射させることによりに、原稿の幅サイズを検知するものとすることができる。
【００１０】
又、本発明においては、複数の画素領域の各々には、受光量に関する閾値が設定されており、ＣＣＤセンサは、複数の画素領域の各々において、閾値と受光量を比較することにより、原稿の幅サイズを検知するものとすることができる。
【００１１】
又、本発明においては、複数の画素領域は、画像読取装置本体の上面に設けられた原稿台ガラスの主走査方向奥側に載置される原稿の幅サイズを検知するために用いられる第１の画素領域と、原稿台ガラスの主走査方向手前側に載置される原稿の幅サイズを検知するために用いられる第２の画素領域と、原稿台ガラスの主走査方向奥側と手前側の間に載置される原稿の幅サイズを検知するために用いられる第３の画素領域に分割されており、第１の画素領域における閾値を、第３の画素領域において設定された閾値よりも小さい第１の検出限界値まで引き下げて設定するとともに、第２の画素領域における閾値を、第３の画素領域において設定された閾値よりも大きい第２の検出限界値まで引き上げて設定するものとすることができる。
【００１２】
【発明の実施の形態】
以下、図面を参照して、本発明の実施形態を詳細に説明する。図１は、本発明の実施形態に係る画像読取装置の外観構成を示す概略図である。図１において、画像読取装置５０は、画像読取装置本体１と、画像読取装置本体１の上面に設けられた原稿台ガラス２と、当該原稿台ガラス２の上面に設けられた原稿サイズ支持部材２２と、当該原稿台ガラス２上に置かれた原稿３を押圧し支持する原稿カバー４を備えており、当該原稿カバー４は、画像読取装置本体１の側方に設けられた原稿カバー支持部５により、上下方向に開閉可能となるように支持されている。尚、当該原稿カバー支持部５を画像読取装置本体１の内部に設け、原稿カバー４を上下方向に開閉可能となるように支持する構成としても良い。又、原稿カバー４の裏面（即ち、原稿３側）には、原稿３を直接押圧する白色のクッション２１が設けられており、原稿カバー４を閉じた状態においては、白色のクッション２１が原稿３を原稿台ガラス２に対して均一に押圧できるようになっている。
【００１３】
又、原稿カバー支持部５には、原稿カバー４の開閉状態を検知するためのセンサ６が設けられており、画像読取装置本体１と原稿カバー支持部５の間に設けられた原稿カバー開閉検知用の補助部材７と当該センサ６によりスイッチが構成されている。
【００１４】
即ち、図１に示す様に、補助部材７の上方先端部７ｂは、原稿カバー４が完全に原稿台ガラス２上をカバーした状態から２０°〜３０°以上開いた状態では、当該原稿カバー４と当接しないが、図３に示す様に、原稿カバー４を当該原稿カバー４が完全に原稿台ガラス２上をカバーした状態から２０°〜３０°開いた状態となるまで閉じると、当該原稿カバー４と当接するとともに、下方に移動する構成となっており、原稿カバー４の開閉に連動して、当該補助部材７が上下方向に移動する様になっている。又、図２に示す様に、センサ６は、赤外線等を発する発光ダイオードからなる発光素子８と、フォトダイオードからなる受光素子９を有している。そして、原稿カバー４が上記角度以上開いた状態（即ち、図１に示す状態）にある場合は、補助部材７に形成された突起部７ａは、図２に実線で示す７ａの状態にあり、この状態下では、発光素子８と受光素子９は遮光状態（即ち、スイッチＯＦＦの状態）にあるが、図３に示す様に、原稿カバー４が上記角度の範囲まで閉じられ、これに連動して補助部材７が下方に移動すると、補助部材７に形成された突起部７ａも下方に移動し、図２において点線で示す７ａ’の状態になり、発光素子８と受光素子９の遮光状態が解除され（即ち、スイッチＯＮの状態）、光信号が発生する構成となっている。
【００１５】
即ち、上記スイッチは、図３に示す様に、原稿カバー４が完全に原稿台ガラス２上をカバーした状態から２０°〜３０°開いた状態まではＯＮの状態となり、それ以上開いた状態では、図１に示す様にＯＦＦの状態となる。この様に、本実施形態においては、原稿カバー４の開閉角を基準として、上記スイッチの切り換えが行われる構成となっている。
【００１６】
図４は、本発明の実施形態に係る画像読取装置の全体構成を示す概略図である。図４において、画像読取装置本体１は、原稿台ガラス２上に置かれた原稿３に光を照射して原稿３を照明する光源１０と、原稿３により反射された反射光を９０度方向に反射する第１ミラー１１とから構成される第１光学系ユニット１２と、第１ミラー１１による反射光を９０度方向に反射する第２ミラー１３と、第２ミラー１３による反射光を更に９０度方向に反射する第３ミラー１４とから構成される第２光学系ユニット１５を備えている。
【００１７】
又、画像読取装置本体１の内部には、結像レンズ１６と、ＣＣＤセンサ１７が搭載されたＣＣＤユニット１８が設けられており、第３ミラー１４により反射された原稿３からの反射光は、ＣＣＤセンサ１７に対面して設けられた結像レンズ１６により収束され、当該結像レンズ１６を介してＣＣＤセンサ１７に入射し、当該ＣＣＤセンサ１７上に結像される。そして、原稿３上を走査した画像の光は、ＣＣＤセンサ１７により電気信号に変換され、原稿画像の濃淡が電気信号レベルの高低に変換される。
【００１８】
又、上記構成においては、結像レンズ１６、及びＣＣＤセンサ１７は画像読取装置本体１に固定されているが、光源１０がスキャン方向に移動しても原稿側光路長が変化しないようにするために、光源１０と第１ミラー１１とから構成される第１光学ユニット１２と、第２ミラー１３と第３ミラー１４とから構成される第２光学ユニット１５は、各々、一定速度で移動可能となるように設けられている。
【００１９】
又、本実施形態における画像読取装置本体１内の所定の位置には、原稿台ガラス２上に置かれた原稿３の長手方向のサイズを検知するためのセンサ２０が設けられており、当該センサ２０は支持部材１９に取り付けられている。このセンサ２０は、例えば、発光素子と受光素子から構成されており、受光素子が原稿３の反射光を受光するか否かによって当該箇所に原稿３があるか否かの検知を行い、原稿３の長手方向サイズの検知を行うものである。
【００２０】
又、このセンサ２０は、図５に示す様に、原稿台ガラス２の上方から見た場合に、原稿台ガラス２にセット可能な原稿の横送りの最大サイズ（図５においては、Ａ４Ｙサイズ）の後端部検知位置に対して、少しだけ後部位置に配置されており、原稿サイズ支持部材２２を指標として、先端レジ線Ｘと側部レジ線Ｙに沿って載置された原稿３が縦送りの場合は、Ａ５サイズよりも大きいサイズの原稿は、全てセンサ２０により検知されることになり、逆に、原稿が横送りの場合は、横送りの最大サイズであるＡ４Ｙサイズの原稿は、当該センサ２０により検知されないことになる。従って、当該センサ２０により検知された原稿は、縦送り状態で原稿台ガラス２上に載置されている状態であることが検知される。本実施形態においては、この様にして、原稿台ガラス２上に置かれた原稿３の長手方向のサイズが検知される。
【００２１】
又、画像読取装置本体１の内部に設けられたＣＣＤセンサ１７は、原稿台ガラス２上に置かれた原稿３の幅サイズの検知を行うものであり、ＣＣＤセンサ１７へ入射する反射光による受光量に基づいて、原稿台ガラス２上に置かれた原稿３の幅サイズを検知する。又、原稿３の幅サイズの判定を行う際には、上記受光量に基づく電荷量（アナログ信号）をＡ／Ｄ変換器（不図示）によりデジタル信号に変換し、当該デジタル信号に基づいて、原稿サイズ判定手段（不図示）により、原稿３の幅サイズが判定されることになる。
【００２２】
又、当該ＣＣＤセンサ１７の画素領域は、原稿台ガラス２上に載置される原稿３のサイズに対応して複数の画素領域に分割されており、当該ＣＣＤセンサ１７は、この複数の画素領域の各々へ入射する原稿３からの反射光による受光量に基づいて、原稿３の幅サイズを検知する。以下、上記画素領域が３つに分割されている場合を例に挙げて説明する。例えば、原稿３の最大幅（図５においては、Ａ３原稿の幅）が約３００ｍｍであって、側部レジ線Ｙ方向におけるＣＣＤセンサ１７の画素数を７５００とすると、原稿台ガラス２の主走査方向奥側（図３、図５に示す▲１▼側）に載置されるＡ６サイズ、又はＢ６サイズの原稿３に関しては、図５に示す先端レジ線Ｘから０〜１００ｍｍの範囲（図５に示すａの範囲）に対応する第１の画素領域（１〜２５００の画素領域）への入射光による受光量に基づいて、原稿３の幅サイズを検知する。同様に、原稿台ガラス２の主走査方向手前側（図３、図５に示す▲２▼側）に載置されるＡ４サイズ、Ｂ４サイズ、Ａ３サイズ、Ｂ５Ｙサイズ、及びＡ４Ｙサイズの原稿３に関しては、先端レジ線Ｘから２０１〜３００ｍｍの範囲（図５に示すｃの範囲）に対応する第２の画素領域（５００１〜７５００の画素領域）への入射光による受光量に基づいて、原稿３の幅サイズを検知し、原稿台ガラス２の主走査方向奥側と手前側の間（図３、図５に示す▲１▼側と▲２▼側の間）に載置されるＡ５サイズ、又はＢ５サイズの原稿３に関しては、図５示す先端レジ線Ｘから１０１〜２００ｍｍの範囲（図５に示すｂの範囲）に対応する第３の画素領域（２５０１〜５０００の画素領域）への入射光による受光量に基づいて、原稿３の幅サイズを検知する。
【００２３】
つまり、ＣＣＤセンサ１７の画素領域は、画像読取装置本体１の上面に設けられた原稿台ガラス２の主走査方向奥側に載置される原稿３の幅サイズを検知するために用いられる第１の画素領域と、原稿台ガラス２の主走査方向手前側に載置される原稿３の幅サイズを検知するために用いられる第２の画素領域と、原稿台ガラス２の主走査方向奥側と手前側の間に載置される原稿３の幅サイズを検知するために用いられる第３の画素領域に分割されている。
【００２４】
ここで、本実施形態においては、補助部材７とセンサ６により構成されるスイッチがＯＮになると、光源１０が短時間（例えば、１０ｍｓｅｃ）点灯し、原稿３により反射された反射光がＣＣＤセンサ１７に入射することにより、原稿３の境界ライン（エッジ）が判定され、当該原稿３の幅サイズが検知される構成となっている。
【００２５】
即ち、原稿カバー４の裏面に設けられたクッション２１は白色となっているので、原稿カバー４を完全に閉じた状態で原稿サイズを検知しようとすると、原稿地色とクッション２１の色との間の識別が困難となるため、正確な原稿サイズの検知が行えないことになる。一方、原稿カバー４を解放した状態で原稿サイズの検知を行った場合は、室内の照明光が外乱光として作用してしまい、やはり正確な原稿サイズの検知が行えないことになる。従って、これらの不都合を解消するためには、原稿サイズの自動検知を行う場合に、原稿カバー４をある程度開いた状態で行う必要があると言える。そこで、本実施形態においては、原稿カバー４が完全に原稿台ガラス２上をカバーした状態から所定角（２０°〜３０°）開いた状態をスイッチＯＮの状態とし、この状態下で、原稿３の境界ライン（エッジ）を判定し、当該原稿３の幅サイズを検知する構成としている。即ち、２０°〜３０°の間でＯＮからＯＦＦ、又はＯＦＦからＯＮに切り替わるセンサ６からの情報を用いて、原稿サイズの検知を行っている。
【００２６】
以上の構成により、ある程度の正確な原稿サイズの検知を行うことができるようになるが、誤検知を完全に防止するには、まだ不十分であると言える。なぜならば、図３に示す様に、原稿台ガラス２とクッション２１の離間距離において、原稿台ガラス２の主走査方向奥側（図３、図５に示す▲１▼側）における原稿台ガラス２とクッション２１との離間距離２３が最も短くなっており、原稿台ガラス２の主走査方向奥側に載置される原稿３の幅サイズを検知するために用いられるＣＣＤセンサ１７の第１の画素領域（即ち、図５に示すａの範囲に対応する画素領域）とクッション２１が近接した状態にあるため、原稿台ガラス２に原稿３が載置されていない場合に、クッション２１からの反射光により、原稿ありとの誤検知が生じる場合がある。
【００２７】
従って、本実施形態においては、まず、ＣＣＤセンサ１７における上記３つの画素領域（即ち、第１〜第３の画素領域）の各々において、原稿境界検出用閾値を設定する。ここで、原稿境界検出用閾値とは、入射光による受光量に関する閾値であって、ＣＣＤセンサ１７は、上記３つの画素領域の各々において、当該閾値と受光量を比較し、当該閾値に対応する受光量がある画素まで原稿３が存在すると判断して、原稿３の幅サイズを検知する。
【００２８】
上記、各画素領域のうち、まず、第３の画素領域（２５０１〜５０００の画素領域）における原稿境界検出用閾値を設定する。即ち、原稿台ガラス２の主走査方向奥側と手前側の間に載置される原稿３に関しては、第３の画素領域への入射光による受光量に基づいて、原稿３の幅サイズを検知するが、この画素領領域においては、当該画素領域における飽和光量を１００％とした場合に、当該飽和光量に対し５０％の受光量を原稿境界検出用閾値として設定し、この原稿境界検出用閾値に対応する受光量がある画素まで原稿３が存在すると判定する様にしておく。例えば、原稿台ガラス２の主走査方向奥側と手前側の間にＢ５サイズの原稿３が載置されている場合であって、上記飽和光量に対し原稿境界検出用閾値である５０％の受光量がある画素が４０００番目の画素であった場合は、当該４０００番目の画素まで原稿３が存在すると判断して、原稿３の幅サイズを検知する。この様に、本画素領域においては、上記原稿境界検出用閾値に対応する受光量がある画素（即ち、画素境界）を検出し、原稿３の幅サイズを検知する。
【００２９】
次に、原稿台ガラス２の主走査方向奥側に載置される原稿３の幅サイズを検知するＣＣＤセンサ１７の画素領域（つまり、第１の画素領域）における原稿境界検出用閾値を所定の検出限界値（以下、第１の検出限界値と言う）まで引き下げて設定しておく。即ち、上述のごとく、原稿台ガラス２の主走査方向奥側に載置される原稿３に関しては、第１の画素領域への入射光による受光量に基づいて、原稿３の幅サイズを検知するが、当該画素領域における飽和光量を１００％とした場合に、当該飽和光量に対し３０％の受光量を上記第１の検出限界値に設定しておき、当該第１の検出限界値に対応する受光量がある画素まで原稿３が存在すると判定する様に、当該画素領域における原稿境界検出用閾値を設定する。つまり、第１の画素領域における原稿境界検出用閾値を、上述した第３の画素領域において設定された原稿境界検出用閾値（飽和光量に対し５０％の受光量）よりも小さい第１の検出限界値（飽和光量に対し３０％の受光量）まで引き下げて設定するということである。例えば、原稿台ガラス２の主走査方向奥側にＢ６サイズの原稿３が載置されている場合であって、上記飽和光量に対し第１の検出限界値である３０％の受光量がある画素が２０００番目の画素であった場合は、当該２０００番目の画素まで原稿３が存在すると判断して、原稿３の幅サイズを検知する。この様に、当該画素領域における原稿境界検出用閾値を上記第１の検出限界値まで引き下げて設定しておき、当該第１の検出限界値に対応する受光量がある画素（即ち、画素境界）を検出することにより、ＣＣＤセンサ１７の第１の画素領域（即ち、図５に示すａの範囲に対応する画素領域）とクッション２１が近接した状態にある場合でも、クッション２１からの反射光に基づく誤検知を回避することができる様になるため、正確な原稿サイズの検知を行うことができる様になる。
【００３０】
一方、図３に示す様に、原稿台ガラス２とクッション２１の離間距離において、原稿台ガラス２の主走査方向手前側（図３、図５に示す▲２▼側）における原稿台ガラス２とクッション２１との離間距離２４が最も長くなっており、原稿台ガラス２の主走査方向手前側に載置される原稿３の幅サイズを検知するために用いられるＣＣＤセンサ１７の第２の画素領域（即ち、図５に示すｃの範囲に対応する画素領域）とクッション２１が離れた状態にあるため、高い輝度を有する外乱光が照射されている場合に、当該外乱光により誤検知が生じる場合がある。
【００３１】
従って、ＣＣＤセンサ１７における上記３つの画素領域（即ち、第１〜第３の画素領域）の各々において設定された原稿境界検出用閾値のうち、原稿台ガラス２の主走査方向手前側に載置される原稿３の幅サイズを検知するＣＣＤセンサ１７の画素領域（つまり、第２の画素領域）における原稿境界検出用閾値を所定の検出限界値（以下、第２の検出限界値と言う）まで引き上げて設定しておく。
【００３２】
即ち、上述のごとく、原稿台ガラス２の主走査方向手前側に載置される原稿３に関しては、第２の画素領域への入射光による受光量に基づいて、原稿３の幅サイズを検知するが、当該画素領領域における飽和光量を１００％とした場合に、当該飽和光量に対し７０％の受光量を上記第２の検出限界値に設定しておき、当該第２の検出限界値に対応する受光量がある画素まで原稿３があると判定する様に、当該画素領域における原稿境界検出用閾値を設定する。つまり、第２の画素領域における原稿境界検出用閾値を、上述した第３の画素領域において設定された原稿境界検出用閾値（飽和光量に対し５０％の受光量）よりも大きい第２の検出限界値（飽和光量に対し７０％の受光量）まで引き上げて設定するということである。例えば、原稿台ガラス２の主走査方向手前側にＢ４サイズの原稿３が載置されている場合であって、上記飽和光量に対し第２の検出限界値である７０％の受光量がある画素が６０００番目の画素であった場合は、当該６０００番目の画素まで原稿３が存在すると判断して、原稿３の幅サイズを検知する。この様に、当該画素領域における原稿境界検出用閾値を上記第２の検出限界値まで引き上げて設定しておき、当該第２の検出限界値に対応する受光量がある画素（即ち、画素境界）を検出することにより、ＣＣＤセンサ１７の第２の画素領域（即ち、図５に示すｃの範囲に対応する画素領域）とクッション２１が離れた状態にある場合でも、高い輝度を有する外乱光に基づく誤検知を回避することができる様になるため、正確な原稿サイズの検知を行うことができる様になる。
【００３３】
図６は、原稿サイズを決定する手順を示すフローチャートである。この手順では、まず、原稿カバー４を開け（ステップＳ１）、当該原稿カバー４に連動させて補助部材７を上方向に移動させて、発光素子８と受光素子９を遮光状態にし、センサ６をスイッチＯＦＦの状態にする（ステップＳ２）。そうすると、第１光学系ユニット１２と第２光学系ユニット１５が、所定の原稿サイズ検知位置（ホームポジション）に移動する（ステップＳ３）。次に、原稿台ガラス２上に原稿３をセットし（ステップＳ４）、原稿カバー４を図３において説明した所定角度（２０°〜３０°）まで閉め（ステップＳ５）、当該原稿カバー４に連動させて補助部材７を下方向に移動させて、発光素子８と受光素子９の遮光状態を解除し、センサ６をスイッチＯＮの状態にする（ステップＳ６）。
【００３４】
センサ６のスイッチがＯＮになると、光源１０が短時間（例えば、１０ｍｓｅｃ）点灯し（ステップＳ７）、原稿３により反射された反射光は、第１光学系ユニット１２、第２光学系ユニット１５、及び結像レンズ１６を経て、ＣＣＤセンサ１７に入射する。次に、図５において説明したＣＣＤセンサ１７の３つの各画素領域において、画素境界（原稿３の境界ライン）が検出されるとともに、ＣＣＤセンサ１７により原稿３の幅サイズが検知され（ステップＳ８）、原稿３の幅サイズが確定する（ステップＳ９）。この際、上記３つ画素領域のいずれにおいても、画素境界が存在しないものと判定された場合は、原稿がないものと判断する（ステップＳ１０）。
【００３５】
又、センサ６のスイッチがＯＮの状態になると（ステップＳ６）、上記ＣＣＤセンサ１７による原稿３の幅サイズの検知と並行して、センサ２０により原稿台ガラス２上に置かれた原稿３の長手方向のサイズが検知され、当該サイズが確定される（ステップＳ１１）。次いで、ステップＳ９により確定された原稿３の幅サイズと、ステップＳ１１により確定された原稿３の長手方向のサイズに関する情報に基づいて、上述の原稿サイズ判定手段により、原稿サイズが判定される（ステップＳ１２）。
【００３６】
尚、本発明は、上記実施形態に限定されるものではなく、本発明の趣旨に基づいて各部の構造、形状等を適宜変更することが可能であり、それらを本発明の範囲から除外するものではない。
【００３７】
例えば、上記実施形態においては、センサ６をスイッチＯＦＦの状態にし（ステップＳ２）、第１光学系ユニット１２と第２光学系ユニット１５を所定の原稿サイズ検知位置（ホームポジション）に移動させ（ステップＳ３）、光源１０を短時間点灯させる構成としたが（ステップＳ７）、光源１を点灯させたまま（即ち、光源１を点灯させた状態で）、当該光源１を上記ホームポジションからスキャン方向またはリターン方向（即ち、副走査方向）に所定距離移動させ（即ち、第１光学系ユニット１２と第２光学系ユニット１５を上記ホームポジションからスキャン方向またはリターン方向に所定距離移動させ）、原稿３により反射された複数の反射光を、ＣＣＤセンサ１７の上記複数の画素領域に入射させることにより、原稿３の幅サイズを検知する構成としても良い。この構成により、上記ＣＣＤセンサ１７に入射する複数の入射光に関する複数のデータを得ることができる様になり、原稿３の幅サイズの検知性能が向上するため、これらの複数のデータに基づいて、原稿３のサイズをより精度良く決定することが可能になる。
【００３８】
【発明の効果】
以上、説明した様に、本発明によれば、ＣＣＤセンサの画素領域を、原稿のサイズに対応した原稿境界検出用閾値が設定された３つの領域に分割し、かつ、原稿台ガラスの主走査方向奥側に載置される原稿の幅サイズを検知するＣＣＤセンサの第１の画素領域における原稿境界検出用閾値を所定の検出限界値（第１の検出限界値）まで引き下げて設定しておくとともに、原稿台ガラスの主走査方向手前側に載置される原稿の幅サイズを検知するＣＣＤセンサの第２の画素領域における原稿境界検出用閾値を所定の検出限界値（第２の検出限界値）まで引き上げて設定しておくことにより、クッションからの反射光、及び高い輝度を有する外乱光に基づく原稿幅の誤検知を回避することができるため、正確な原稿サイズの検知を行うことができるようになる。
【図面の簡単な説明】
【図１】は、本発明の実施形態に係る画像読取装置の外観構成を示す概略図である。
【図２】は、本発明の実施形態に係る画像読取装置におけるスイッチの構成を説明するための斜視図である。
【図３】は、本発明の実施形態に係る画像読取装置の外観構成を示す概略図である。
【図４】は、本発明の実施形態に係る画像読取装置の全体構成を示す概略図である。
【図５】は、本発明の実施形態に係る画像読取装置におけるＣＣＤセンサの画素領域と原稿サイズとの関係を説明するための上面図である。
【図６】は、本発明の実施形態に係る画像読取装置における原稿サイズを決定する手順を示すフローチャートである。
【符号の説明】
１      画像読取装置本体
２      原稿台ガラス
４      原稿カバー
５      原稿カバー支持部
６      センサ
７      補助部材
７ａ      突起部
８      発光素子
９      受光素子
１０      光源
１１      第１ミラー
１３      第２ミラー
１４      第３ミラー
１６      結像レンズ
１７      ＣＣＤセンサ
１８      ＣＣＤユニット
２０      センサ
２１      クッション
２２      原稿サイズ支持部材
【図１】
2004304406.tif 000003
【図２】
2004304406.tif 000004
【図３】
2004304406.tif 000005
【図４】
2004304406.tif 000006
【図５】
2004304406.tif 000007
【図６】
2004304406.tif 000008